(57)【要約】【課題】メンテナンスが行ないやすく、且つ、部品点数を少なくしつつも剛性の大きな細断機を提供する。【解決手段】左右の固定側壁９と、固定側壁９の前後部下部に渡し止められた前後の支持軸１０と、支持軸１０に前後揺動開閉自在に設けられた前後の揺動側壁１１と、左右の固定側壁９の上部前部に渡し止められた連結材１２と、固定側壁９に回転自在に渡された、回転刃２３、２４を有する回転軸１７と、前の揺動側壁１１の内側に設けられた回転刃２３、２４との協働により被処理物を細断する固定刃３２と、後の揺動側壁１１の内側に設けられたスクレーパー３８とを有し、固定刃３２とスクレーパー３８との間に回転刃２３、２４が位置するようになされている。【選択図】図５
2006116545.tif 000002
【特許請求の範囲】
【請求項１】
所定間隔をあけて配された１対の固定側壁と、
両固定側壁に回転自在に渡され、回転刃を有する回転軸と、
該回転軸と平行に、両固定側壁の下側両端部に渡し止められた１対の支持軸と、
該支持軸夫々に揺動開閉自在に設けられた揺動側壁と、
一方の揺動側壁の内側に設けられ、前記回転刃との協働により被処理物を細断する固定刃と、
他方の揺動側壁の内側に設けられたスクレーパーと
を有し、
前記固定刃とスクレーパーとの間に前記回転刃が位置するようになされ、
前記回転刃は、
アーム状の粗切断用回転刃と外周に鋸歯状の細断歯を有する細切断用回転刃を有し、
前記固定刃及びスクレーパーの下方に位置するようにして前記粗切断用回転刃の移動軌跡空間を囲う覆い部材が設けられ、
前記覆い部材は、
前記一方の揺動側壁に設けられた第１側部材と、
前記他方の揺動側壁に設けられた第２側部材と、
前記第１側部材と第２側部材とを繋ぎ、前記第１側部材及び第２側部材とは別体であって、着脱自在となされた中間部材と
を有することを特徴とする細断機。
【請求項２】
前記回転軸の一端の内側部に左螺旋部が形成され、
前記回転軸の他端の内側部に右螺旋部が形成され、
前記左螺旋部及び右螺旋部が前記固定側壁の回転軸が嵌まる孔の内面に対向するようになされていることを特徴とする請求項１に記載の細断機。
【請求項３】
前記粗切断用回転刃の側壁には、
角孔を形成してあることを特徴とする請求項１に記載の細断機。
【請求項４】
前記固定刃及びスクレーパー夫々は、
前記一方の揺動側壁の内側及び他方の揺動側壁の内側にボルトで固定され、
該ボルトの頭部は、
上方に凸状の曲面をなしていることを特徴とする請求項１に記載の細断機。
【請求項５】
平面形状コ字状であって、平面視が相互に対向して先端側に向かって開くテーパー面を有するロック片と、
該ロック片に形成された貫通孔と、
前記固定側壁及び揺動側壁夫々に設けられ、前記テーパー面に対向する傾斜面と、
前記固定側壁に設けられ、前記貫通孔を通じて貫通される螺子を螺子嵌められる螺子孔と
を備え、
前記螺子を締め付け、前記テーパー面を傾斜面に押し当てることにより前記揺動側壁を固定側壁に固定するように構成してあることを特徴とする請求項１に記載の細断機。
【請求項６】
所定間隔をあけて配された１対の固定側壁と、
両固定側壁の上部に渡し止められた連結材と、
両固定側壁に回転自在に渡され、回転刃を有する回転軸と、
該回転軸と平行に、両固定側壁の下側両端部に渡し止められた１対の支持軸と、
該支持軸夫々に揺動開閉自在に設けられた揺動側壁と、
一方の揺動側壁の内側に設けられ、前記回転刃との協働により被処理物を細断する固定刃と、
他方の揺動側壁の内側に設けられたスクレーパーと
を有し、
前記固定刃とスクレーパーとの間に前記回転刃が位置するようになされ、
前記回転刃は、
アーム状の粗切断用回転刃と外周に鋸歯状の細断歯を有する細切断用回転刃を有することを特徴とする細断機。
【発明の詳細な説明】
【技術分野】
【０００１】
本発明は、例えば、熱可塑性合成樹脂製品の成形に伴って発生する副産物（スプル・ランナ等）を再利用可能な細断片に細断するのに好適な細断機に関する。
【背景技術】
【０００２】
熱可塑性合成樹脂製品の成形に伴って発生する副産物（スプル・ランナ等）を再利用可能な細断片に細断する細断機が製品化されている。
【発明の開示】
【発明が解決しようとする課題】
【０００３】
本発明は、メンテナンスが行ないやすく、且つ、部品点数を少なくしつつも剛性の大きな（強度の高い）細断機を提供することを目的とするものである。
【課題を解決するための手段】
【０００４】
第１発明に係る細断機は、所定間隔をあけて配された１対の固定側壁と、両固定側壁に回転自在に渡され、回転刃を有する回転軸と、該回転軸と平行に、両固定側壁の下側両端部に渡し止められた１対の支持軸と、該支持軸夫々に揺動開閉自在に設けられた揺動側壁と、一方の揺動側壁の内側に設けられ、前記回転刃との協働により被処理物を細断する固定刃と、他方の揺動側壁の内側に設けられたスクレーパーとを有し、前記固定刃とスクレーパーとの間に前記回転刃が位置するようになされ、前記回転刃は、アーム状の粗切断用回転刃と外周に鋸歯状の細断歯を有する細切断用回転刃を有し、前記固定刃及びスクレーパーの下方に位置するようにして前記粗切断用回転刃の移動軌跡空間を囲う覆い部材が設けられ、前記覆い部材は、前記一方の揺動側壁に設けられた第１側部材と、前記他方の揺動側壁に設けられた第２側部材と、前記第１側部材と第２側部材とを繋ぎ、前記第１側部材及び第２側部材とは別体であって、着脱自在となされた中間部材とを有することを特徴とする。
【０００５】
第２発明に係る細断機は、第１発明において、前記回転軸の一端の内側部に左螺旋部が形成され、前記回転軸の他端の内側部に右螺旋部が形成され、前記左螺旋部及び右螺旋部が前記固定側壁の回転軸が嵌まる孔の内面に対向するようになされていることを特徴とする。
【０００６】
第３発明に係る細断機は、第１発明において、前記粗切断用回転刃の側壁には、角孔を形成してあることを特徴とする。
【０００７】
第４発明に係る細断機は、第１発明において、前記固定刃及びスクレーパー夫々は、前記一方の揺動側壁の内側及び他方の揺動側壁の内側にボルトで固定され、該ボルトの頭部は、上方に凸状の曲面をなしていることを特徴とする。
【０００８】
第５発明に係る細断機は、第１発明において、平面形状コ字状であって、平面視が相互に対向して先端側に向かって開くテーパー面を有するロック片と、該ロック片に形成された貫通孔と、前記固定側壁及び揺動側壁夫々に設けられ、前記テーパー面に対向する傾斜面と、前記固定側壁に設けられ、前記貫通孔を通じて貫通される螺子を螺子嵌められる螺子孔とを備え、前記螺子を締め付け、前記テーパー面を傾斜面に押し当てることにより前記揺動側壁を固定側壁に固定するように構成してあることを特徴とする。
【０００９】
第６発明に係る細断機は、所定間隔をあけて配された１対の固定側壁と、両固定側壁の
上部に渡し止められた連結材と、両固定側壁に回転自在に渡され、回転刃を有する回転軸と、該回転軸と平行に、両固定側壁の下側両端部に渡し止められた１対の支持軸と、該支持軸夫々に揺動開閉自在に設けられた揺動側壁と、一方の揺動側壁の内側に設けられ、前記回転刃との協働により被処理物を細断する固定刃と、他方の揺動側壁の内側に設けられたスクレーパーとを有し、前記固定刃とスクレーパーとの間に前記回転刃が位置するようになされ、前記回転刃は、アーム状の粗切断用回転刃と外周に鋸歯状の細断歯を有する細切断用回転刃を有することを特徴とする。
【発明の効果】
【００１０】
第１発明にあっては、前後の揺動側壁が開くので、メンテナンスが容易になる。また、２本の支持軸が、揺動側壁の枢軸と左右の固定側壁を連結する連結材とを兼ねているので、部品点数を少なくしてコスト低減を図ることができる。さらに、覆い部材の中間部材が着脱自在となされているので、メンテナンスが容易になる。
【００１１】
第２発明にあっては、回転軸の一端の内側部に左螺旋部が形成され、前記回転軸の他端の内側部に右螺旋部が形成され、前記左螺旋部及び右螺旋部が固定側壁の回転軸が嵌まる孔の内面に対向するようになされていることにより、回転軸の回転に伴って、左右螺旋部と孔の内面との間に入り込んだ被処理物（細断片も含む）は、ケーシングの内部に送り出され、被処理物が軸受けに回り込まないようにすることができる。
【００１２】
第３発明にあっては、粗切断用回転刃の側壁には、角孔を形成してあることにより、角孔に回転工具を嵌めて粗切断用回転刃を手動で回転させることができる。
【００１３】
第４発明にあっては、固定刃及びスクレーパー夫々は、一方の揺動側壁の内側及び他方の揺動側壁の内側にボルトで固定され、該ボルトの頭部は、上方に凸状の曲面をなしていることにより、前記ボルトの頭部に被処理物が嵌まり込むことを防止することができる。
【００１４】
第５発明にあっては、テーパー面を傾斜面に対向させた後、螺子を締め付けてテーパー面を傾斜面に押し当てることにより、揺動側壁を固定側壁にロックすることができ、細断機の剛性を大きくすることができる。
【００１５】
第６発明にあっては、前後の揺動側壁が開くので、メンテナンスが容易になる。また、２本の支持軸と１本の連結材で左右の固定側壁を連結するので、細断機の剛性を大きくすることができる。更に、２本の支持軸が、揺動側壁の枢軸と左右の固定側壁を連結する連結材とを兼ねているので、部品点数を少なくしてコスト低減を図ることができる。
【発明を実施するための最良の形態】
【００１６】
以下に本発明の実施の形態を説明する。なお、この説明において、前とは図１紙面表側を、後とは同裏側をいい、左とは図１左側を、右とは同図右側をいう。
【００１７】
図１、図２に示すごとく、細断機１の水平な基板２に取り付けられたケーシング３は、上部に入口４を、下部に出口５を有している。前記基板２には、出口５に対向するようにして開口６が形成されている。基板２の開口６の下方には細断片を受ける受け箱（図示略）が配置されている。前記ケーシング３は、左右方向に所定間隔をあけて配された左右の固定側壁９と、これら固定側壁９の前後部下部に渡し止められた前後の支持軸１０と、これら支持軸１０に前後揺動開閉自在に設けられた前後の揺動側壁１１と、左右の固定側壁９の上部前部に渡し止められた連結材１２とを有している。前記支持軸１０は、揺動側壁１１を揺動自在に支持する枢軸と固定側壁９を連結する連結材としての機能を有している。なお、前の揺動側壁１１は連結材１２に当たって図５の位置を越えて後に揺動しないようになされ、後の揺動側壁１１は図示略のストッパー（固定側壁９に設けられている）に
当たって図５の位置を越えて前に揺動しないようになされている。
【００１８】
図４に示すごとく、前記固定側壁９に軸心を左右方向に向けた、同心の貫通孔１５が形成され、これら貫通孔１５に軸受１６が取り付けられ、これら軸受１６に軸心を左右方向に向けた回転軸１７が回転自在に渡されている。前記回転軸１７は、モーター１８（図１参照）によって矢印Ａの方向に回転させられるようになされている。また、前記回転軸１７の左端部の内側部に左螺旋部１９が形成され、同右端部の内側部に右螺旋部２０が形成され、これら左右螺旋部１９、２０が貫通孔１５の内面に対向するようになされている。このような構成により、回転軸１７が矢印Ａの方向に回転するのに伴って、左右螺旋部１９、２０と貫通孔１５の内面との間に入り込んだ被処理物（細断片も含む）は、ケーシング３の内部に送り出される。
【００１９】
前記回転軸１７に、少なくとも１つ、本実施の形態では２つのアーム状の粗切断用回転刃２３が左右方向に所定間隔をあけて、且つ、固定側壁９との間にも間隔をあけるようにして、嵌め止められている。また、回転軸１７には、少なくとも１つ、本実施の形態では３つの細切断用回転刃２４が嵌め止められている。なお、相互に隣接する粗切断用回転刃２３と細切断用回転刃２４とは密接させられ、一番左及び一番右の細切断用回転刃２４は固定側壁９にそれらの回転を阻害しないように僅かの間隙をあけて対向させられている。前記粗切断用回転刃２３には回転工具用の角孔２５が形成されている。このような構成により、角孔２５に回転工具を嵌めて粗切断用回転刃２３を手動で回転させることができる。前記細切断用回転刃２４には、左右方向に所定間隔で環状溝２７が形成され、環状溝２７と環状溝２７との間の突部２８に鋸歯状の細断歯２９が形成されている（図７参照）。
【００２０】
前記前の揺動側壁１１の内側に、粗切断用回転刃２３及び細切断用回転刃２４との協働により被処理物を細断する固定刃３２が、後方に向かって下り傾斜するようにして取り付けられている。前記固定刃３２は、左右方向に長い、粗切断用回転刃２３の先端の移動軌跡の前側に位置する前部材３２ａと、この前部材３２ａと別体である、粗切断用回転刃２３の移動軌跡の位置で分断された後部材３２ｂ（図３参照）とを有している。
【００２１】
前記前部材３２ａは、図７に示すごとく所要本のボルト３３により前の揺動側壁１１に固定されており、粗切断用回転刃２３の移動軌跡に臨む後縁部が刃（粗切断用回転刃２３との協働により被処理物を細断する刃）として機能するようになされている。
【００２２】
前記後部材３２ｂは、図７に示すごとく所要本のボルト３４及びナット３５により前の揺動側壁１１に固定されており、粗切断用回転刃２３の移動軌跡に臨む側縁が刃（粗切断用回転刃２３との協働により被処理物を細断する刃）として機能するようになされている。また、後部材３２ｂの後縁部は、細切断用回転刃２４と噛み合うように凹凸となされ（図３参照）、この凹凸部が刃（細切断用回転刃２４との協働により被処理物を細断する刃）となされている。前記ボルト３４の頭は、被処理物が嵌まり込む窪みのない上方に凸の曲面となされている。また、ボルト３４の軸部の上部（頭部の下の部分）は角軸部（断面が矩形の軸）となされ、この角軸部が後部材３２ｂに形成された角孔に嵌まって、ボルト３４は後部材３２ｂに対して相対回転しないようになされている。
【００２３】
前記後の揺動側壁１１の内側に、細切断用回転刃２４との協働により被処理物を掻き落とす３つのスクレーパー３８が、前方に向かって下り傾斜するようにして取り付けられている。前記スクレーパー３８は粗切断用回転刃２３と衝突・干渉しないようにして配されている。前記スクレーパー３８は、図７に示すごとく所要本のボルト３４及びナット３５により後の揺動側壁１１に固定されており、スクレーパー３８の前縁部は、細切断用回転刃２４と噛み合うように凹凸となされ（図３参照）、この凹凸部が掻き落とし部（細切断用回転刃２４との協働により被処理物を掻き落とす部）となされている。
【００２４】
上記のごとき構成により、固定刃３２とスクレーパー３８との間に粗切断用回転刃２３及び細切断用回転刃２４が位置するようになされている。
【００２５】
図５及び図６に示すごとく、前記固定刃３２及びスクレーパー３８の下方に位置するようにして粗切断用回転刃２３の移動軌跡空間を囲う覆い部材４０が設けられている。前記覆い部材４０は、前の揺動側壁１１に設けられた前側部材４０ａと、後の揺動側壁１１に設けられた後側部材４０ｃと、前側部材４０ａと後側部材４０ｃとを繋ぐ、それらと別体の中間部材４０ｂとを有している。なお、図５において、前側部材４０ａと中間部材４０ｂとの境が「Ｌ」で、中間部材４０ｂと後側部材４０ｃとの境が「Ｍ」で示されている。
【００２６】
前記中間部材４０ｂは以下のような手段によりケーシング３に着脱自在となされている。前記前後の揺動側壁１１に、それらが開いた状態において覆い部材４０の中間部材４０ｂを支承する支承部材４２が設けられている。また、前後の揺動側壁１１に、中間部材４０ｂの左右方向の移動を阻止するホルダー４３が設けられている。そして、前後の揺動側壁１１を閉じた際（起立状態とした際）、前後の支承部材４２、前側部材４０ａ及び中間部材４０ｂにより、中間部材４０ｂが前後方向に動かないようになされると共に、ホルダー４３により左右方向にも動かないようになされている。このような構成により、前後の揺動側壁１１を開くことにより中間部材４０ｂをケーシング３に対して簡単に取り出すことができるので、中間部材４０ｂ内の掃除を簡単に行なうことができる。
【００２７】
前記前後の揺動側壁１１は図５の状態位置で図８に示すロック装置４６によりロックされるようになされている。前記ロック装置４６は、相互に対向する、上方から見て先端側に向かって開くテーパー面４７を有する平面形状コ字状のロック片４８と、ロック片４８に形成された貫通孔４９を通じて固定側壁９に形成されたねじ孔５０にねじ嵌められたハンドル付きねじ５１と、テーパー面４７に対向する固定側壁９に形成された傾斜面５２と、揺動側壁１１に形成された傾斜面５２とを有している。このような構成により、テーパー面４７を傾斜面５２に対向させた後、ねじ５１を締め付けてテーパー面４７を傾斜面５２に押し当てることにより、揺動側壁１１を固定側壁９にロックすることができる。
【００２８】
前記右の固定側壁９に蝶番５５を介してホッパー５６が揺動開閉自在に設けられている。なお、ホッパー５６は図１の状態で公知のロック装置（図示略）により左の固定側壁９に固定されるようになされている。
【００２９】
図１及び図９に示すごとく、前記ホッパー５６と揺動側壁１１とにはインターロック装置５７が設けられている。前記インターロック装置５７は、揺動側壁１１の上部に設けられた反射型の光電スイッチ５８と、図１の状態で光電スイッチ５８に検知される、ホッパー５６に設けられた被検知片５９とを有している。そして、光電スイッチ５８が被検知片５９を検知しない限り、即ち、揺動側壁１１が閉じ（起立状態となり）、且つ、ホッパー５６がケーシング３の上に載った状態とならない限り、細断機１のメインスイッチを「オン」にしてもモーター１８が作動しないようになされている。前記ホッパー５６の下部には、揺動側壁１１の不用意な開きを阻止する受け片６０が設けられている。
【００３０】
細断機１の作用は従来と同様である。
【００３１】
以下に変形例等について説明を加える。
（１）粗切断用回転刃２３及び細切断用回転刃２４が請求項１でいう回転刃である。粗切断用回転刃２３及び細切断用回転刃２４の構造は任意である。
（２）インターロック装置５７はなくてもよい。
【図面の簡単な説明】
【００３２】
【図１】本発明の実施の形態を示す要部正面図である。
【図２】図１のＩＩ−ＩＩ線断面図である。
【図３】図１のＩＩＩ−ＩＩＩ線断面図である。
【図４】図１のＩＶ−ＩＶ線に沿う中間省略の要部のみを示す断面図である。
【図５】図１のＶ−Ｖ線断面図である。
【図６】図５のＶＩ−ＶＩ線に沿う固定刃を削除した断面図である。
【図７】図１のＶＩＩ−ＶＩＩ線断面図である。
【図８】図１のＶＩＩＩ−ＶＩＩＩ線断面図である。
【図９】図１のＩＸ−ＩＸ線断面図である。
【符号の説明】
【００３３】
１  細断機
３  ケーシング
９  固定側壁
１０  支持軸
１１  揺動側壁
１２  連結材
１５  貫通孔（孔）
１７  回転軸
１９  左螺旋部
２０  右螺旋部
２３  粗切断用回転刃
２４  細切断用回転刃
２５  角孔
３２  固定刃
３４  ボルト
３８  スクレーパー
４７  テーパー面
４８  ロック片
４９  貫通孔
５０  ねじ孔
５２  傾斜面
【図１】
2006116545.tif 000003
【図２】
2006116545.tif 000004
【図３】
2006116545.tif 000005
【図４】
2006116545.tif 000006
【図５】
2006116545.tif 000007
【図６】
2006116545.tif 000008
【図７】
2006116545.tif 000009
【図８】
2006116545.tif 000010
【図９】
2006116545.tif 000011